(57)【要約】      （修正有）【課題】見栄えが良く、贈答用として好適なブーケのように構成しつつ、贈り先における花器の有無に関係なく、そのままの状態で飾ることができるブーケ風アレンジメントを提供する。【解決手段】容器１２と、容器１２内に載置される支持部材１４と、支持部材１４に植設される花卉１６と、花卉１６の一側１６ａから他側１６ｂに向かって先細り形状をなし、容器１２及び花卉１６を、花卉１６の一側１６ａを露出させて包囲し、且つ容器１２と固定される内側包装材１８と、内側包装材１８で容器１２及び花卉１６が包囲されてなる内包体３０の周囲を包囲する外側包装材２０とを含んで成るブーケ風アレンジメント１０である。【選択図】図２
0003119121.tif 000002
【実用新案登録請求の範囲】
【請求項１】
容器と、
該容器内に載置される支持部材と、
該支持部材に植設される花卉と、
該花卉の一側から他側に向かって先細り形状をなし、前記容器及び前記花卉を、前記花卉の一側を露出させて包囲し、且つ前記容器と固定される内側包装材と、
該内側包装材で前記容器及び前記花卉が包囲されてなる内包体の周囲を包囲する外側包装材と
を含んで成るブーケ風アレンジメント。
【請求項２】
前記内側包装材により前記容器の側面及び底面が覆われ、且つ前記内側包装材が前記側面の上端部又は前記花卉の根元部で固定された請求項１に記載のブーケ風アレンジメント。
【請求項３】
前記容器が、前記花卉の他側の方向に延びる把持部を備えている請求項１又は請求項２に記載のブーケ風アレンジメント。
【請求項４】
前記把持部が着脱自在である請求項３に記載のブーケ風アレンジメント。
【考案の詳細な説明】
【技術分野】
【０００１】
本考案は、ブーケ風のアレンジメントに関する。
【背景技術】
【０００２】
従来、花を贈る際の態様としては、ブーケ（花束）又はアレンジメントが殆どである。一般的なブーケは、複数の花卉を束ねた上で、この束ねられた花卉の側面周囲を包装材で包装したものであって、慶事における贈答品、或いはお見舞い品として多用されている。一方のアレンジメントは、容器内に入れられた土や吸水性部材に、複数の花卉を植設したものであって、このアレンジメントもブーケと同様、贈答品、お見舞い品として多用されている。
【０００３】
ここで、複数の花卉をブーケにする際には、まず束ねられた複数の花卉の切り口を含水させた紙、不織布、スポンジ等で包み、次にその上からアルミホイル等で包み、最後に紙や不織布、プラスチックフィルム等の包装材で花卉の側面周囲を包装する、といったように、包装作業は非常に繁雑である。そこで、ブーケの包装作業を容易にしたブーケ用の包装材が以前より多数開示されている（例えば、特許文献１参照。）
【特許文献１】特開２００５−８８９１０号公報（図１）
【考案の開示】
【考案が解決しようとする課題】
【０００４】
しかし、従来のブーケでは、花卉の切り口が湿潤状態に維持されているとはいえ、ブーケのままの状態で長時間飾っておくことはできない。従って、ブーケはできるだけ速やかに花器に生け直す必要があるが、このブーケを生け直す際には、花卉を包装している包装材が解かれ、また、花器のサイズに合わせて花卉の茎部分が伐られる場合もある。つまり、包装材も含めて見栄え良く制作されたブーケを花器に生け直すことによって、花卉の配置、バランスが崩れてしまい、ブーケの状態に比べて見劣りすることは避けられない。更に、ブーケの贈り先において花器が直ちに準備できない場合には、贈り先にかえって迷惑を掛けることにもなりかねない。
【０００５】
一方のアレンジメントは、そのままの状態で飾っておくことができるため、ブーケの様な、贈り先における花器への生け直しや花器の準備といった煩わしさはない。しかし、ブーケに比べると、若干豪華さに欠け、見劣りする感があるのは否めない。また、手渡しで花を贈る際には、見栄えの良いブーケが好まれているのが現状であり、上記のように贈り先において煩雑さのないアレンジメントが選択されることはあまりない。
【０００６】
そこで本考案者は、見栄えが良く、贈答用として好適なブーケのように構成しつつ、贈り先における花器の有無に関係なく、そのままの状態で飾ることができるアレンジメントを提供するべく鋭意検討を重ねた結果、本考案に至ったのである。
【課題を解決するための手段】
【０００７】
即ち、本考案のブーケ風アレンジメントの要旨とするところは、容器と、該容器内に載置される支持部材と、該支持部材に植設される花卉と、該花卉の一側から他側に向かって先細り形状をなし、前記容器及び前記花卉を、前記花卉の一側を露出させて包囲し、且つ前記容器と固定される内側包装材と、該内側包装材で前記容器及び前記花卉が包囲されてなる内包体の周囲を包囲する外側包装材とを含んで成ることである。
【０００８】
かかるブーケ風アレンジメントにおいて、前記内側包装材により前記容器の側面及び底面が覆われ、且つ前記内側包装材が前記側面の上端部又は前記花卉の根元部で固定されたことにある。
【０００９】
かかるブーケ風アレンジメントにおいて、前記容器は、前記花卉の他側の方向に延びる把持部を備え得る。
【００１０】
かかるブーケ風アレンジメントにおいて、前記把持部は着脱自在であることが好ましい。
【考案の効果】
【００１１】
本考案のブーケ風アレンジメントによると、アレンジメントをブーケのように構成して贈ることができるため、ブーケの持つ豪華さや見栄えの良さを兼ね備えたアレンジメントを提供することができる。
【００１２】
また、本考案によると、花器の有無に関係なく、包装されたままの状態で飾ることができる。つまり、従来のブーケのように、贈り先における花器への生け直し等の煩雑さがなく、また、花器への生け直しに伴う花卉の配置、バランスの崩れ等が生じることもないので、包装材も含めた見栄えの最も良い状態で長期間飾ることができる。
【００１３】
また、本考案に係る内側包装材及び外側包装材を展開すれば、従来のアレンジメントと同様、他の花器に生け直すことなくそのまま飾ることができる。更に、本考案に係る展開された包装材は、容器及び花卉の敷物として利用することができ、本考案を載置した台上を花粉等で汚すこともない。
【００１４】
また更に、本考案に係る容器に把持部を設けることによって、本考案のブーケ風アレンジメントを安定的に持つことができると共に、内側包装材及び外側包装材による容器及び花卉の包装作業が容易に行える。また、この把持部を着脱式とすることによって、包装材を展開してアレンジメントとして飾る際には、把持部を取り外して飾ることができ、把持部が邪魔になったり、アレンジメントの見栄えを損ねたりすることがない。
【考案を実施するための最良の形態】
【００１５】
以下、本考案のブーケ風アレンジメントの実施形態について、図面に基づいて詳しく説明する。
【００１６】
図１及び図２に、本考案のブーケ風アレンジメントの一実施形態を示す。本実施形態に係るブーケ風アレンジメント１０は、容器１２、容器１２内に載置される吸水性を備えた支持部材１４、この支持部材１４に植設される複数の花卉１６、これら容器１２及び花卉１６を包囲する内側包装材１８、及び外側包装材２０から構成されている。
【００１７】
ここで、内側包装材１８については、花卉１６の一側１６ａから他側１６ｂに向かって先細り形状をなすと共に、花卉１６の一側１６ａが露出するような態様で、容器１２及び花卉１６を包囲している。そして、この内側包装材１８は容器１２と固定されている。なお、内側包装材１８と容器１２とを固定する態様は特に限定されず、例えば内側包装材１８と容器１２とが粘着テープにより固定されてもよい。或いは、内側包装材１８により容器１２の底面２２及び側面２４を覆った上で、側面２４の上端部、または図２に示すように、花卉１６の根元部１６ｃにおいて、輪ゴムや針金等の固定具２６により内側包装材１８と容器１２とが固定されてもよい。特に後者の態様では、内側包装材１８と容器１２との固定が容易に行い得ると共に、容器１２の底面２２及び側面２４を確実に覆うことができるため、ブーケ風アレンジメント１０の見栄えも向上させることができる。更に、図２に示したように、花卉１６の根元部１６ｃにおいて固定具２６により内側包装材１８と容器１２とが固定されることによって、吸水性支持部材１４に植設された花卉１６の位置ズレを防止でき、花卉１６の形態を維持することもできる。
【００１８】
そして、本実施形態に係るブーケ風アレンジメント１０においては、内側包装材１８で容器１２及び花卉１６を上記のような態様で包囲してなる内包体３０の周囲が、外側包装材２０によって包囲されている。外側包装材２０で内包体３０の周囲を包囲することによって、内側包装材１８と容器１２との固定部を隠すことができると共に、容器１２の存在自体をも目立たなくすることができ、更には本考案のブーケ風アレンジメント１０の装飾効果を一層高めることもできる。
【００１９】
なお、外側包装材２０と内包体３０との固定方法は特に限定されず、例えば内包体３０に係る内側包装材１８に外側包装材２０を粘着テープ等で貼着する方法は、最も容易な固定方法といえる。そして、内包体３０に係る、花卉１６の他側１６ｂ側に形成された内側包装材１８の先細り部２８の位置において、この先細り部２８を覆う外側包装材２０の外側に、ワンタッチ式のリボン３２等を貼着することによって、本実施形態に係るブーケ風アレンジメント１０の外観を、よりブーケ風に形成することができる。また、外側包装材２０と内包体３０との他の固定方法としては、例えば先細り部２８の位置において、この先細り部２８を覆う外側包装材２０の外周からリボン３２等を巻き付けることにより固定してもよく、当該方法によっても、本実施形態に係るブーケ風アレンジメント１０の外観を、よりブーケ風に形成することができる。
【００２０】
以上のように、本考案の実施形態に係るブーケ風アレンジメント１０によると、アレンジメントをブーケのように構成して贈ることができるため、ブーケの持つ豪華さや見栄えの良さを兼ね備えたアレンジメントを提供することができる。
【００２１】
また、ブーケ風アレンジメント１０によると、贈り先における花器の有無に関係なく、従来のブーケを寝かせたような状態で、内側包装材１８及び外側包装材２０で包装されたまま飾ることができる。つまり、従来のブーケのように、花器への生け直し等の煩雑さがなく、また、花器への生け直しに伴う花卉の配置、バランスの崩れ等が生じることもないので、内側包装材１８等も含めた見栄えの最も良い状態で長期間飾ることができる。
【００２２】
更に、本考案に係る内側包装材１８及び外側包装材２０を、花卉１６の上方で展開することによって、従来のアレンジメントと同様、他の花器に生け直すことなくそのまま飾ることができる。また更に、この展開された内側包装材１８及び外側包装材２０は、容器１２及び花卉１６の敷物として利用することができる。従って、ブーケ風アレンジメント１０が載置した台上を、花卉１６から落ちた花粉等によって汚すこともない。
【００２３】
以上、本考案の実施形態に係るブーケ風アレンジメント１０について詳述したが、本考案は上記の形態に限定されず、その他の形態でも実施し得るものである。
【００２４】
本考案の他の実施形態として、図３に示したブーケ風アレンジメント１０ａでは、支持部材１４を載置する容器１２が、把持部３４を備えている。このように、容器１２に把持部３４を設けることによって、ブーケ風アレンジメント１０ａを安定的に持つことができると共に、内側包装材１８及び外側包装材２０による容器１２及び花卉１６の包装作業や外側包装材２０の外周からリボン３２等を巻き付ける作業等も容易となる。なお、この把持部３４は、容器１２と一体のものであってもよく、或いは着脱式のものであってもよい。但し、包装材を展開してアレンジメントとして飾る際に、把持部３４を取り外して飾ることができ、把持部３４が邪魔になったり、アレンジメントの見栄えを損ねたりすることがないという点では、把持部３４を着脱式とすることがより好ましい。
【００２５】
また、本考案のその他の実施形態として、例えば、本考案に係る花卉１６には、主に生花が使用されるが、造花やドライフラワー等を使用することも可能である。
【００２６】
また、容器１２についても特に限定されず、図２に示したような浅めのトレー以外に、例えば、深さのあるポット形状等の容器であってもよく、更には、これらの容器を別体の籠に収納した上で、この籠に収納された容器と内側包装材１８とを固定した態様であってもよい。また更に、容器１２の材質や形状も何ら限定されるものではない。
【００２７】
また、本考案に係る支持部材１４についても、花卉１６が生花の場合には吸水性を備えた支持部材が好ましいが、造花やドライフラワーを使用する場合には吸水性を備えている必要はない。また、支持部材１４としては発泡樹脂製のものが一般的であるが、花卉１６を植設可能であれば、支持部材１４には公知のあらゆる材質のものが適用できる。
【００２８】
更にまた、本考案に係る内側包装材１８や外側包装材２０についても、紙や不織布、プラスチックフィルム等の、従来、ブーケの包装材として使用されている種々の材質、色彩のものが適用でき、使用枚数も各図に示した１枚ずつに限定されず、ブーケ風アレンジメント１０の装飾効果、花卉１６のボリューム感等に応じて、複数枚・数種類の内側包装材１８や外側包装材２０が重ねられて、内包体３０及び本考案のブーケ風アレンジメント１０、１０ａが形成されてもよい。
【００２９】
以上、本考案の室内外装飾装置について説明したが、本考案はその趣旨を逸脱しない範囲で、当業者の知識に基づき種々の改良、修正、変形を加えた態様で実施し得るものである。
【図面の簡単な説明】
【００３０】
【図１】本考案のブーケ風アレンジメントの実施形態を示す斜視図である。
【図２】本考案のブーケ風アレンジメントの実施形態を示す断面模式図である。
【図３】本考案のブーケ風アレンジメントに係る容器の他の実施形態を示す断面模式図である。
【符号の説明】
【００３１】
１０、１０ａ：ブーケ風アレンジメント
１２：容器
１４：支持部材
１６：花卉
１６ａ：花卉の一側
１６ｂ：花卉の他側
１８：内側包装材
２０：外側包装材
２２：底面
２４：側面
２６：固定具
２８：先細り部
３０：内包体
３４：把持部
【図１】
0003119121.tif 000003
【図２】
0003119121.tif 000004
【図３】
0003119121.tif 000005